(57)【要約】【課題】液晶セルが高温になりにくく、液晶セルが異常表示を起こしにくい、液晶表示装置を提供する。【解決手段】液晶セル２と、前記液晶セル２の背面側に配置された導光板９と、前記導光板９の側面に対向して配置された光源１３，１４と、前記液晶セル２と前記導光板９と前記光源１３，１４を支持する枠体４とを備え、枠体４は４個の載置部３４ａ，３４ｂ，３４ｃ，３４ｄを有する額縁状に設けられ、光源１３，１４と離れて位置する３個の前記載置部３４ｂ，３４ｃ，３４ｄ上に直接またはスペーサ等を介して、液晶セル２は配置され、前記光源１３，１４に近接する１個の前記載置部３４ａ上に前記液晶セル２が配置されない様に、該載置部３４ａは前記液晶セル２と離れて配置された。【選択図】図３
2007240689.tif 000002
【特許請求の範囲】
【請求項１】
液晶セルと、前記液晶セルの背面側に配置された導光板と、前記導光板の側面に対向して
配置された光源と、前記液晶セルと前記導光板と前記光源を支持する枠体とを備え、前記
枠体は４個の載置部を有する額縁状に設けられ、前記光源と離れて位置する３個の前記載
置部上に直接またはスペーサ等を介して、前記液晶セルは配置され、前記光源に近接する
１個の前記載置部上に前記液晶セルが配置されない様に、該載置部は前記液晶セルと離れ
て配置された事を特徴とする液晶表示装置。
【請求項２】
前記光源と離れて位置する前記載置部において、１個の第１載置部に第１粘着材が配置さ
れ、第１光学シートの端近傍は前記第１粘着材上に固定され、他の部分は前記導光板上に
位置し、前記第１光学シートの端近傍上に、第１スペーサを介して、前記液晶セルが配置
された事を特徴とする請求項１の液晶表示装置。
【請求項３】
前記第１スペーサの底面には、第１粘着層が形成され、前記第１粘着層を介して、前記第
１光学シートの端近傍と前記第１スペーサは固定されている事を特徴とする請求項２の液
晶表示装置。
【請求項４】
前記光源と離れて位置する前記載置部において、前記第１載置部に対向して位置する１個
の第２載置部に第２粘着材が配置され、第２光学シートの端近傍は前記第２粘着材上に固
定され、他の部分は前記第１光学シート上に位置し、前記第２光学シートの端近傍上に、
第２スペーサを介して、前記液晶セルが配置された事を特徴とする請求項２の液晶表示装
置。
【請求項５】
前記第２スペーサの底面には、第２粘着層が形成され、前記第２粘着層を介して、前記第
２光学シートの端近傍と前記第２スペーサは固定されている事を特徴とする請求項４の液
晶表示装置。
【発明の詳細な説明】
【技術分野】
【０００１】
本発明は液晶表示装置に関する。
【背景技術】
【０００２】
従来、この種の装置は例えば特許文献１に示されている。特許文献１において、裏板３
４上にシャフト３６が配置されている。裏板３４上に導光板２６が配置されている。光学
シート２４は、左右端に孔が形成され、その孔に、シャフト３６の突起３６ａが挿入され
ている。光学シート２４の上方に、枠体３２が配置され、両者には、隙間が設けられてい
る。枠体３２の４辺の載置部上に、液晶セル２が配置されている。光源２１は、導光板２
６の側面に対向する様に、枠体３２内に配置されている。
【特許文献１】特開２００２−７２１７４号公報
【発明の開示】
【発明が解決しようとする課題】
【０００３】
上記装置では、光源２１に近接する枠体３２の載置部上にも、液晶セル２が配置されて
いる。その結果、高温になり易い光源２１から、上記載置部を介して、液晶セル２へ、熱
が伝わり易く、液晶セル２が高温になる、第１の欠点がある。
【０００４】
更に、熱や長期の外部圧力（例えば、筐体への固定方法）による経時変化により、導光
板２６は、変形（ソリ）が発生し易い。導光板２６が変形した場合、光学シート２４は、
液晶セル２に部分的に接触する。その結果、液晶セル２内のギャップは部分的に変化する
ために、液晶セルに、波紋状の異常表示や、白色領域や黒色領域が発生する、第２の欠点
がある。
【０００５】
そこで、本発明は、この様な従来の欠点を考慮し、液晶セルが高温になりにくく、液晶
セルが異常表示を起こしにくい、液晶表示装置を提供する。
【課題を解決するための手段】
【０００６】
上記課題を解決するために、請求項１の本発明では、液晶セルと、前記液晶セルの背面
側に配置された導光板と、前記導光板の側面に対向して配置された光源と、前記液晶セル
と前記導光板と前記光源を支持する枠体とを備え、前記枠体は４個の載置部を有する額縁
状に設けられ、前記光源と離れて位置する３個の前記載置部上に直接またはスペーサ等を
介して、前記液晶セルは配置され、前記光源に近接する１個の前記載置部上に前記液晶セ
ルが配置されない様に、該載置部は前記液晶セルと離れて配置された。
【０００７】
請求項２の本発明では、前記光源と離れて位置する前記載置部において、１個の第１載
置部に第１粘着材が配置され、第１光学シートの端近傍は前記第１粘着材上に固定され、
他の部分は前記導光板上に位置し、前記第１光学シートの端近傍上に、第１スペーサを介
して、前記液晶セルが配置された。
【０００８】
請求項３の本発明では、前記第１スペーサの底面には、第１粘着層が形成され、前記第
１粘着層を介して、前記第１光学シートの端近傍と前記第１スペーサは固定されている。
【０００９】
請求項４の本発明では、前記光源と離れて位置する前記載置部において、前記第１載置
部に対向して位置する１個の第２載置部に第２粘着材が配置され、第２光学シートの端近
傍は前記第２粘着材上に固定され、他の部分は前記第１光学シート上に位置し、前記第２
光学シートの端近傍上に、第２スペーサを介して、前記液晶セルが配置された。
【００１０】
請求項５の本発明では、前記第２スペーサの底面には、第２粘着層が形成され、前記第
２粘着層を介して、前記第２光学シートの端近傍と前記第２スペーサは固定されている。
【発明の効果】
【００１１】
請求項１の様に、光源に近接する１個の載置部上に液晶セルが配置されない様に、この
載置部は液晶セルと離れて配置された。その結果、高温になり易い光源からの熱（伝熱）
は液晶セルに伝わりにくい。故に、液晶セルが高温になる事を防止できる。
【００１２】
請求項２の様に、構成する事により、液晶セルは、第１光学シートに対し、下方向へ加
圧する。その結果、この加圧力は、第１光学シートを介して、導光板のソリ（変形）を抑
制する。
【００１３】
請求項３の様に構成する事により、第１光学シートの端近傍と、第１スペーサは強固に
固定されるので、液晶セルの加圧力は、確実に、第１光学シートを押さえる。
【００１４】
請求項４の様に、構成する事により、液晶セルは、第２光学シートに対し、下方向へ加
圧する。その結果、この加圧力は、第２光学シートおよび第１光学シートを介して、導光
板のソリ（変形）を抑制する。故に、液晶セルと、第２光学シートの距離（厚み方向の隙
間）が維持される。その結果、部分的な加圧による液晶セルの波紋状の異常表示を防止す
ることができる。
【００１５】
請求項５の様に構成する事により、第２光学シートの端近傍と、第２スペーサは強固に
固定されるので、液晶セルの加圧力は、確実に、第２光学シートを押さえる。
【発明を実施するための最良の形態】
【００１６】
以下に、本発明を実施するための最良の形態を、実施例及び図面を用いて詳細に説明す
る。以下の実施例は、本発明の技術思想を具体化するための液晶表示装置の一例を例示す
るものである。本発明は、特許請求の範囲に示した技術思想を逸脱することなく、種々の
変更を行ったものにも、均しく適用し得る。
【実施例】
【００１７】
図１は、本発明の実施例に係る液晶表示装置１の分解斜視図である。図２は液晶表示装
置１（組み立て品）の正面図である。図３，４，５，６は各々、図２のＡ−Ａ断面図、Ｂ
−Ｂ断面図、Ｃ−Ｃ断面図、Ｄ−Ｄ断面図である。
【００１８】
これらの図において、液晶表示装置１は液晶セル２と、照明手段３と、これらの液晶セ
ル２および照明手段３を支持する枠体４等とを有している。
【００１９】
液晶セル２は、一対のガラス基板５，６を、これらの基板５，６の外周縁の近傍に沿っ
て塗布されたシール材（図示せず）により、一体に貼り合わせ、その内部に液晶を封入さ
れたものである。
【００２０】
更に、一方のガラス基板６上の複数の端子（図示せず）に、駆動用ＩＣ（図示せず）が
実装された複数のＴＣＰ（Ｔａｐｅ  Ｃａｒｒｉｅｒ  Ｐａｃｋａｇｅ）７が取り付けら
れている。そして、ＴＣＰ７のいくつかの他端は、制御基板（図示せず）に接続されてい
る（図５参照）。
【００２１】
照明手段３は、液晶セル２の背面側（表示面と反対側のこと）に配置され、かつ、導光
板９と、反射板１０と、リフレクタ１１と、ホルダ１２，１２Ａと、光源１３，１４と、
補強板１５と、緩衝体１６等からなる（図３参照）。
【００２２】
導光板９は例えばアクリル樹脂からなり、平面から見れば、長方形である。導光板９は
断面して見れば、導光板９の側面９ａが厚く（図３参照）、導光板９の他の側面９ｂが薄
く（図４参照）なる様に、形成されている。導光板９は、楔状に形成されている。即ち、
導光板９の上面は水平に形成され、底面は傾斜して形成されている。
【００２３】
反射板１０は反射材料からなり、導光板９の底面に当接して配置されている。反射板１
０の左端は、導光板９の側面９ａよりも左側に少し、突出して配置されている（図３を参
照）。反射板１０の右端は、導光板９の他の側面９ｂよりも左側に少し、ずれた位置にあ
る（図４参照）。
【００２４】
リフレクタ１１は例えばアルミニュウム等からなり、断面して見れば、実施的に逆コ字
状に形成されている。リフレクタ１１は平面から見れば（図１参照）、細長い形状をして
いる。
【００２５】
リフレクタ１１は、上面１１ａと、側面１１ｂと、底面１１ｃを有している。リフレク
タ１１は左端近傍と、右端近傍の２ケ所において、切欠部１１ｄ，１１ｅが形成されてい
る（図１、図７を参照）。切欠部１１ｄ，１１ｅは共に、上面１１ａの１部と、底面１１
ｃの１部を切り欠いた部分である。
【００２６】
ホルダ１２は例えばシリコンゴム等からなり、断面して見れば、光源１３，１４用の孔
が形成され、外形は長円部１２ａが形成されている（図３参照）。
【００２７】
ホルダ１２において、長円部１２ａにつながって出口部（図示せず）が形成されている
。出口部は、略角筒状に形成され、内部通路が、光源１３用の孔および光源１４用の孔と
つながっている。ホルダ１２内に、リード線１７，１８が配置されている。ホルダ１２Ａ
はホルダ１２に対し、面対称に形成されている（図１参照）。
【００２８】
この様に、一方の切欠部１１ｄは、ホルダ１２に近傍した位置にて形成されている。他
方の切欠部１１ｅは、ホルダ１２Ａに近傍した位置にて形成されている。
【００２９】
光源１３，１４は共に、冷陰極管等からなる線状光源である。光源１３の左端は、ホル
ダ１２の孔に挿入、固定されている。右端はホルダ１２Ａの孔に挿入、固定されている。
【００３０】
光源１４の左端は、ホルダ１２の孔に挿入、固定されている。右端は、ホルダ１２Ａの
孔に挿入、固定されている。
【００３１】
リード線１８の右端近傍は、被膜が外された導線が、半田等により、光源１３の左の電
極に接続されている。リード線１７の右端近傍は、被膜が外された導線が、半田等により
光源１４の左の電極に接続されている。
【００３２】
リード線１９の右端近傍は、被膜が外された導線が、半田等により、光源１３の右の電
極に接続されている。リード線２０の右端近傍は、被膜が外された導線が、半田等により
光源１４の右の電極に接続されている（図３参照）。
【００３３】
リード線１８の左端およびリード線１９の左端はコネクタ２２に接続されている。リー
ド線１７の左端およびリード線２０の左端はコネクタ２３に接続されている。
【００３４】
この様に、光源１３，１４が導光板９の側面９ａに対向すべく、リフレクタ１１は、ホ
ルダ１２，１２Ａに支持された光源１３，１４を覆い、かつ、導光板９および反射板１０
の各端部近傍を覆う様に、設けられている。
【００３５】
補強板１５，１５Ａは共に金属板からなり、断面して見れば、共に実質的にコ字状に形
成されている（図１、図３参照）。
【００３６】
補強板１５はホルダ１２を覆う様に、切欠部１１ｄ内に収納されている。補強板１５Ａ
はホルダ１２Ａを覆う様に、切欠部１１ｅ内に収納されている。
【００３７】
底板２４は例えば金属板等からなり、断面して見れば（図３参照）、実質的に逆Ｌ字状
に形成されている。底板２４は平面から見れば（図１参照）、細長い形状をしている。
【００３８】
底板２４は、上面２４ａと、側面２４ｂと、底面２４ｃを有している。底板２４の側面
２４ｂは、リフレクタ１１の側面１１ｂに当接して配置されている。
【００３９】
補強板１５は、底板２４に形成された側面２４ｂの内面と、切欠部１１ｄの内面との間
に各々、当接または近接（例えば、隙間が０．１〜０．３ｍｍ）して配置されている。
【００４０】
補強板１５Ａは、底板２４に形成された側面２４ｂの内面と、切欠部１１ｅの内面との
間に各々、当接または近接（例えば、隙間が０．１〜０．３ｍｍ）して配置されている。
【００４１】
緩衝体１６，１６Ａは例えば、ＰＥＴ樹脂の様に、比較的に硬質の弾性体からなり、裏
面に接着材が設けられている。緩衝体１６，１６Ａの幅（導光板９の側面９ａの長手方向
の長さ）は約４ｍｍである。
【００４２】
上述した様に、補強板１５は、導光板９の側面９ａと、ホルダ１２との間に配置されて
いる。補強板１５Ａは導光板９の側面９ａと、ホルダ１２Ａとの間に配置されている。
【００４３】
緩衝体１６は、補強板１５の側面に固定され、導光板９の側面９ａに当接、または近接
（例えば、隙間が０．１〜０．３ｍｍ）して配置されている。緩衝体１６Ａは、補強板１
５Ａの側面に固定され、導光板９の側面９ａに当接、または近接（例えば、隙間が０．１
〜０．３ｍｍ）して配置されている。
【００４４】
これらの導光板９と、反射板１０と、リフレクタ１１と、ホルダ１２，１２Ａと、光源
１３，１４と、補強板１５，１５Ａと、緩衝体１６，１６Ａと、リード線１７，１８，１
９，２０と、コネクタ２２，２３と、底板２４等により、照明手段３は構成されている。
【００４５】
枠体４は、リフレクタ１１を覆う突出部２５が形成されている。リフレクタ１１の外面
と、突出部２５の内面とに各々、接着された粘着材２６が設けられている（図３参照）。
【００４６】
導光板９の上に、第１光学シート、例えば、プリズムシート２７が配置されている。第
１光学シート２７の上方には、第２光学シート、例えば、拡散シート２８が配置されてい
る。リフレクタ１１の底面１１ｃの底面に、放熱板２９が配置されている（図３参照）。
なお、リフレクタ１１に形成された底面１１ｃの長さ（図３において、左右方向に延びる
長さ）は、約１０ｍｍである。
【００４７】
枠体４は例えばプラスチックからなり、額縁状に形成され、中央に開口部３０が形成さ
れている。枠体４の３辺において、上下方向に延びる側部３１ｂ（図４参照）と、側部３
１ｃ（図５参照）と、側部３１ｄ（図６参照）が形成されている。
【００４８】
枠体４の３辺において、各々、側部３１ｂ，３１ｃ，３１ｄにつながり、開口部３０の
周辺に位置する下載置部３２ｂ，３２ｃ，３２ｄが形成されている。
【００４９】
支持体３３は、断面が略クランク状に形成され（図４参照）、平面から見れば（図１を
参照）、細長い形状をしている。支持体３３の下部に形成された鉤部が、枠体４に形成さ
れた側部３１ｂの鉤部に係合されている（図４参照）。
【００５０】
枠体４の辺において、枠体４の上部に、載置部３４ａが形成されている（図３参照）。
支持体３３の上部に、載置部３４ｂが形成されている（図４参照）。枠体４の上部に、第
２載置部３４ｃが形成されている（図５を参照）。枠体４の上部に、第１載置部３４ｄが
形成されている（図６を参照）。
【００５１】
前面枠３５は例えば金属板等からなり、中央に開口部３６が形成され、額縁状に形成さ
れている。
【００５２】
前面枠３５の内面は、枠体４の上面３７ａに当接し、前面枠３５の側面は、底板２４の
側面２４ｂに当接し、固定されている（図３参照）。
【００５３】
前面枠３５の内面は、枠体４の上面３７ｂに当接している（図４参照）。
【００５４】
前面枠３５の内面および側面は、液晶セル２および枠体４などを覆っている（図５を参
照）。
【００５５】
前面枠３５の内面は、枠体４の上面３７ｄに当接し、前面枠３５の側面は、枠体４の側
面３７ｅに当接し、固定されている（図６参照）。
【００５６】
放熱板２９は例えばアルミニュウム等からなり、底部と、３つの折曲部とからなる。放
熱板２９は、枠体４に形成された下載置部３２ｂ，３２ｃ，３２ｄ上に配置されている（
図４、図５、図６を参照）。
【００５７】
反射板１０は、放熱板２９の底部上に配置されている。導光板９は、反射板１０上に配
置されている。この様にして、放熱板２９は開口部３０を介して、露出されている（図１
参照）。
【００５８】
導光板９において、光源１３，１４に対向する側面９ａと反対側に位置する、他の側面
９ｂ近傍の背面と、放熱板２９の表面とに各々接着された粘着材３８が設けられている（
図４参照）。
【００５９】
第１光学シート２７は、導光板９上に配置されている。第１光学シート２７の右端近傍
は、第１粘着材３９を介して、枠体４に形成された第１載置部３４ｄ上に固定されている
。第１スペーサ４０は、第１粘着層４０ａを介して、第１光学シート２７の右端近傍の上
に固定されている（図６参照）。
【００６０】
第２光学シート２８は、第１光学シート２７上に配置されている。第２光学シート２８
の左端近傍は、第２粘着材４１を介して、枠体４に形成された第２載置部３４ｃ上に固定
されている。第２スペーサ４２は、第２粘着層４２ａを介して、第２光学シート２８の左
端近傍の上に固定されている（図５参照）。
【００６１】
液晶セル２のＡ−Ａ側は、枠体４の載置部３４ａ上に載置され（図３参照）、液晶セル
２のＢ−Ｂ側は、支持体３３の載置部３４ｂ上に載置されている（図４参照）。
【００６２】
液晶セル２のＣ−Ｃ側は、第２スペーサ４２上に載置され（図５参照）、液晶セル２の
Ｄ−Ｄ側は、第１スペーサ４０上に載置されている（図６参照）。以上の部品により、液
晶表示装置１は構成されている。
【００６３】
次に、図１〜図６に従い、以下に、本発明の第１特徴を述べる。即ち、液晶セル２と、
液晶セル２の背面側に配置された導光板９と、導光板９の側面に対向して配置された光源
１３，１４が設けられている。
【００６４】
液晶セル２と導光板９と光源１３，１４を支持する枠体４が設けられている。枠体４は
４個の載置部３４ａ，３４ｂ，３４ｃ，３４ｄを有する額縁状に設けられている。光源１
３，１４と離れて位置する３個の載置部３４ｂ，３４ｃ，３４ｄ上に直接またはスペーサ
４０，４２等を介して、液晶セル２は配置されている。
【００６５】
光源１３，１４に近接する１個の載置部３４ａ上に、液晶セル２が配置されない様に、
載置部３４ａは、液晶セル２と離れて配置されている（図３参照）。
【００６６】
そして、第２特徴を述べる。光源１３，１４と離れて位置する載置部３４ｂ，３４ｃ，
３４ｄにおいて、１個の第１載置部３４ｄに第１粘着材３９が配置されている。第１光学
シート２７の端近傍は、第１粘着材３９の上に固定されている。第１光学シート２７の他
の部分は、導光板９上に位置し、第１光学シート２７の端近傍上に、第１スペーサ４０を
介して、液晶セル２が配置されている（図６参照）。
【００６７】
次に、第３特徴を述べる。第１スペーサ４０の底面には、第１粘着層４０ａが形成され
ている。第１粘着層４０ａを介して、第１光学シート２７の端近傍と、第１スペーサ４０
は固定されている（図６参照）。
【００６８】
そして、第４特徴を述べる。光源１３，１４と離れて位置する載置部３４ｂ，３４ｃ，
３４ｄにおいて、第１載置部３４ｄに対向して位置する１個の第２載置部３４ｃに、第２
粘着材が配置されている。第２光学シート２８の端近傍は、第２粘着材４１上に固定され
ている。第２光学シート２８の他の部分は、第１光学シート２７上に位置している。第２
光学シート２８の端近傍上に、第２スペーサ４２を介して、液晶セル２が配置されている
（図５参照）。
【００６９】
次に、第５特徴を述べる。第２スペーサ４２の底面には、第２粘着層４２ａが形成され
ている。第２粘着層４２ａを介して、第２光学シート２８の端近傍と、第２スペーサ４２
は固定されている（図５参照）。
【図面の簡単な説明】
【００７０】
【図１】本発明の実施例に係る液晶表示装置１の分解斜視図である。
【図２】液晶表示装置１（組み立て品）の正面図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【符号の説明】
【００７１】
２  液晶セル
３  照明手段
４  枠体
９  導光板
１０  反射板
１１  リフレクタ
１２  ホルダ
１３，１４  光源
３４ａ，３４ｂ，３４ｃ，３４ｄ
【図１】
2007240689.tif 000003
【図２】
2007240689.tif 000004
【図３】
2007240689.tif 000005
【図４】
2007240689.tif 000006
【図５】
2007240689.tif 000007
【図６】
2007240689.tif 000008